(57)【要約】【課題】簡単かつ確実にストローを包装袋から押し出せるストロー包装体を提供する。【解決手段】ストロー包装体１は、ストロー３を包装袋５に収容している。包装袋５は、ストローを収める凹部５０を有するＲ面フィルム５１と、該凹部を覆うようにＲ面フィルムに溶着されたＦ面フィルム５２を具備する。ストロー３は、Ｒ面フィルム５１の非溶着部位を突き破ることが可能な先端部３２と、該先端部の頂部３４が溶着部６１に当たらないように該頂部３４をストローの軸心方向にずらす屈曲部３５を具備する。屈曲部３５は、頂部３４が溶着部６１に突き当たらないように、該頂部をＲ面フィルム５１の非溶着部位の方へ逃がす役割を担う。本発明によれば、ストロー３の先端形状を、外径位置から内側に折り込んであるので、ストロー先端の頂部３４が溶着部６１に最も接近した状態で包装袋から押出す場合でも、該頂部が溶着部６１に突き当たるのを防止できる。【選択図】図３
2013144566.tif 000002
【特許請求の範囲】
【請求項１】
ストローを包装袋に収容してなるストロー包装体であって、
前記包装袋は、ストローを収める凹部を有する第１のフィルムと、該凹部を覆うように第１のフィルムに溶着された第２のフィルムと、を具備し、
前記ストローは、前記第１のフィルムを突き破ることが可能な尖った先端部と、該先端部の頂部が前記フィルムの溶着部に当たらないように該頂部をストローの軸心方向にずらすための屈曲部と、を具備することを特徴とするストロー包装体。
【請求項２】
ストローを収める凹部を有する第１のフィルムと、凹部を覆うように第１のフィルムに溶着された第２のフィルムと、を具備する包装袋と、
前記第１のフィルムを突き破ることが可能な尖った先端部と、該先端部の頂部が前記フィルムの溶着部に当たらないように該頂部をストローの軸心方向にずらすための屈曲部と、を具備するストローと、
前記ストローを収容する包装袋が貼着された飲料容器と、を有することを特徴とするストロー付き容器。
【発明の詳細な説明】
【技術分野】
【０００１】
本発明は、吸飲用ストローを包装袋に収容してなるストロー包装体と、これを具備する飲料容器に関する発明である。
【背景技術】
【０００２】
従来から流通している飲料容器の多くには、吸飲用のストローが付属している。一般的には図４に示すように、樹脂製フィルムからなる包装袋にストローを収容してなるストロー包装体８が、容器７の側面に貼着されている。
【０００３】
ストロー包装体８は、ストロー９とこれを収める包装袋１０から構成されている。この包装袋１０は、図５に示すように、ストロー９を収める湾曲凹部５０を有するラウンド面フィルム５１（Ｒ面フィルム）と、この凹部５０を覆うようにＲ面フィルム５１に対し溶着されたフラット面フィルム５２（Ｆ面フィルム）とで構成されている。
【０００４】
平面視矩形のＲ面フィルム５１及びＦ面フィルム５２の周縁部（４辺）は、重なった状態で熱溶着されて溶着部６１〜６４を形成している。包装袋周縁の溶着部６１〜６４では、Ｒ面フィルム５１とＦ面フィルム５２が熱溶着して一体化している。Ｒ面フィルム５１の湾曲凹部５０は、ストロー収納空間として機能している。
【０００５】
上記構成のストロー包装体８は、ストロー先端を下方に向けた状態で、Ｆ面フィルム５２の側が容器７の側面に貼着されている。容器内の飲料を吸飲するときには、ストロー９を包装袋１０から抜き出して使用する。このとき包装袋１０からストロー９を押し出し易くするために、ストロー先端は斜めにカットされて竹槍状に尖らせてある。
【０００６】
ストロー９を包装袋１０から抜き出すときには、一般的に、包装袋の上から指をストローの吸い口部９１に押し当て、斜めカット先端部９２を溶着部６１の方向へ押し込むようにする。これにより図４（Ｂ）に示すように、斜めカット先端部９２が包装袋１０を突き破って出てくるので、その突き出た部位を掴んで引っ張り出すことでストロー全体を包装袋１０から抜き出すことができる。
【先行技術文献】
【特許文献】
【０００７】
【特許文献１】特開２００８−２７３５９０号公報
【発明の概要】
【発明が解決しようとする課題】
【０００８】
従来のストロー包装体には、ストローを包装袋から押し出す際に次のような問題があった。
【０００９】
一般的にストロー包装体は、図５に示すように、２箇所の接着部６，６で容器７に貼着されている。そして、包装袋１０内のストロー９は丸棒状であるため回転し易く、しかも、包装袋内でのストローの回転方向の姿勢は固定されていないため、例えば図５（Ａ）〜（Ｃ）に例示するようにストロー９は様々な回転位置で収容されている。
【００１０】
図５（Ａ）に示すように、ストロー先端の頂部９３が湾曲凹部５０の底面側に近接している場合や、図５（Ｂ）に示すように、ストロー先端の頂部９３が湾曲凹部５０の側面側に近接している場合であれば、ストロー９を押し込んだときに、その頂部９３がＲ面フィルム５１の非溶着部位を突き破るので、問題なくストローを押し出すことができる。
【００１１】
しかしながら、図５（Ｃ）に示すように、ストロー先端の頂部９３がＦ面フィルム５２側に近接している場合、或いはそれに近い位置にある場合には、ストロー９を押し込んだときに、頂部９３が硬質の溶着部６１に突き当たる可能性が高くなる。
また、ストロー９の周囲と包装袋１０との間に隙間があれば、吸い口部９１に指を押し当ててストローを押し出すときに、図６に示すようにストロー９が包装袋１０内で傾斜する場合もある。このような場合において、ストロー９が図５（Ｃ）に示すような回転位置にあれば、ストローの頂部９３が硬質の溶着部６１に突き当たる可能性がより一層高くなる。
さらに、一般的にストロー包装体８は複数部位で容器に貼着されているにすぎず、しかも、包装袋１０が樹脂フィルムから形成されているので、溶着部６１の近傍（包装袋１０の接着部６から先の部位）が弓なりに浮き上がった状態で容器７に貼着されている場合もある。この場合、たとえ押し出し時にストロー９が傾斜しなくても、その頂部９３が硬質の溶着部６１に突き当たる可能性が高くなる。
【００１２】
この溶着部６１は、Ｒ面/Ｆ面フィルムに熱溶着を施した結果、硬化しており、隣接するＲ面フィルム５１のみの部分（熱溶着されていない部位）と比較して硬質であるため、斜めカットされた先端部９２といえども突き破ることが困難な場合がある。また、図６に示すように溶着部６１に突き当たった状態でストロー９を強引に押し込むと、硬質の溶着部６１によって先端部９２が折れ曲がって変形する虞があり、その場合、その後の容器への差し込みに支障をきたすことになる。
【００１３】
また、図６に示すようにひとたび先端部９２が溶着部６１に突き当たると、その尖った頂部９３が楔の如く溶着部６１に食い込んでしまう。このような状態からストロー９を強引に押し込み続けても、先端部９２は溶着部６１から外れにくく、また、無理やり押し込めば先端部９２の変形を招く虞もある。また、溶着部６１に食い込んだ状態でストロー９を押し込み続けても、隣接するＲ面フィルム５１の非溶着部位を裂開させることもできない。
【００１４】
したがって従来のストロー包装体は、その内部のストローに斜めカット先端部を持たせているにもかかわらず、ストローの姿勢（ストロー先端部の向き）や包装袋の貼着状態によっては包装袋からの押し出しが著しく困難となり、場合によってはストロー先端部に変形を招くといった問題があった。
【００１５】
なお、ストロー先端が溶着部６１に突き当たった場合でも該溶着部のＲ面/Ｆ面フィルムが容易に剥離するように、熱溶着によるシール強度を弱めることも検討されたが、シール強度を弱めると、使用前の製造段階や流通段階などで溶着部６１のＲ面/Ｆ面フィルムが剥離してその隙間からストロー９が脱落する虞もあり、採用できるものではなかった。
【００１６】
そこで上述した従来技術の問題点に鑑み、本発明の目的は、包装袋内でのストローの回転位置にかかわらず、簡単かつ確実にストローを包装袋から押し出すことのできるストロー包装体及びこれを備えた飲料容器を提供することにある。
【課題を解決するための手段】
【００１７】
上記目的は、
吸飲用ストローを包装袋に収容してなるストロー包装体であって、
前記包装袋は、ストローを収める凹部を有する第１のフィルムと、該凹部を覆うように第１のフィルムに溶着された第２のフィルムと、を具備し、
前記ストローは、前記第１のフィルムを突き破ることが可能な尖った先端部と、該先端部の頂部が前記フィルムの溶着部に当たらないように該頂部をストローの軸心方向に（すなわち外径位置より内側に）ずらすための屈曲部と、を具備することを特徴とするストロー包装体によって達成される。
【００１８】
また上記目的は、
ストローを収める凹部を有する第１のフィルムと、凹部を覆うように第１のフィルムに溶着された第２のフィルムと、を具備する包装袋と、
前記第１のフィルムを突き破ることが可能な尖った先端部と、該先端部の頂部が前記フィルムの溶着部に当たらないように該頂部をストローの軸心方向にずらすための屈曲部と、を具備するストローと、
前記ストローを収容する包装袋が貼着された飲料容器と、を有することを特徴とするストロー付き容器によって達成される。
【発明の効果】
【００１９】
本発明によれば、斜めカット端を有するストローの先端形状を、外径位置から内側に折り込んであるので、ストロー先端の頂部が短辺側溶着部に最も接近した状態で包装袋から押し出す場合でも、該頂部が溶着部に突き当たるのを防止できる。
また、ストローを押し出す際にストローが包装袋内で傾斜し、頂部が溶着部に対しより一層接近し得る場合であっても、屈曲部がＦ面フィルム（第２のフィルム）に接して頂部を溶着部から遠ざけ、該頂部が溶着部に突き当たるのを阻止できる。同様に、溶着部の近傍が反り返って容器から大きく離隔している状態で、ストローを押し出しても、頂部が溶着部に突き当たるのを阻止できる。
したがって、ストローを押し出す際に包装袋内でストローがいかなる回転位置にあっても、また、包装袋の接着部から先の部位が容器側面から大きく離隔している場合であっても、ストロー先端の頂部は、硬化した溶着部を避け、Ｒ面フィルム（第１のフィルム）の非溶着部位を突き破ることになる。
よって本発明によれば、溶着部におけるＲ面/Ｆ面フィルムのシール強度を弱めることなく、且つ、押し出し時にストローに変形を招くことなく、包装袋から無理なく簡単にストローを取り出すことが可能になる。
【図面の簡単な説明】
【００２０】
【図１】本発明のストロー包装体を示す平面図である。
【図２】本発明のストロー包装体を示す断面図と拡大断面図である。
【図３】本発明のストロー包装体からストローを押し出すときの様子を示す断面図と拡大断面図であって、図３（Ａ）における２点鎖線は押し出し前のストローを示している。
【図４】一般的なストロー付き飲料容器を示す図である。
【図５】従来のストロー包装体を示す断面図であって、包装袋内でのストローの姿勢を例示するものである。
【図６】従来のストロー包装体からストローを押し出すときの様子を示す断面図であって、２点鎖線は押し出し前のストローを示している。
【発明を実施するための形態】
【００２１】
（ストロー包装体の構成）
本発明のストロー付き容器は、飲料容器と、該容器側面に付着されたストロー包装体とで構成されている。図１及び図２に示すように、本発明のストロー包装体１は、吸飲用ストロー３とこれを収納する包装袋５とで構成されている。本実施形態で使用するストロー３は、伸縮可能な二段タイプのストローで構成されている。これを収納する包装袋５は、透明又は半透明の樹脂製フィルムから形成されている。
【００２２】
ストロー包装体１の包装袋５は、ポリエチレンやポリプロピレンなどの樹脂からなり、図１に示すように平面視で略矩形に形成されている。この包装袋５は、図１及び図２に示すように、ストロー３を収容する湾曲凹部５０を有するラウンド面フィルム５１（Ｒ面フィルム／第１のフィルム）と、該湾曲凹部５０を覆うように被せられたフラット面フィルム５２（Ｆ面フィルム／第２のフィルム）と、両フィルム周縁の重合部分を熱溶着してなる溶着部６１〜６４（サイドシール部）とを有している。
【００２３】
すなわち、向かい合う２枚の樹脂製フィルム５１，５２の周縁が熱溶着されて、密封された包装袋５を形成している。包装袋５をなす各フィルムのうち、少なくともＲ面フィルム５１は、通常の押し込み力をストロー３の先端に加えることで突き破ることが可能なもので構成されている。
【００２４】
湾曲凹部５０の周囲におけるＲ面フィルム５１とＦ面フィルム５２の重合箇所は、熱溶着により一体化するとともに硬化している。このように両フィルムを熱溶着してなる溶着部６１〜６４は、これに繋がる非溶着部であるＲ面フィルムよりも硬質（ストロー先端部で突き破ることが困難な程に硬質）となっている。この溶着部６１〜６４は、図１に示すように平面視矩形の包装袋５の周縁、すなわち４辺に沿って形成されており、図２の断面図には短辺側の溶着部６１，６２を図示している。
【００２５】
湾曲凹部５０内は、ストロー収納空間として機能している。この湾曲凹部５０を覆うＦ面フィルム５２はＲ面フィルム５１に対し熱溶着されているので、凹部５０内のストロー３が包装袋５から脱落することはない。
【００２６】
包装袋５内のストロー３は、吸飲時に咥える吸い口部３１と、尖った先端部３２を有している。この先端部３２は、包装袋５を突き破り易いように、また、容器の差し込み穴に突き刺し易いように、尖った形状に形成されている。この先端部３２は、図２（Ｂ）に示すように、ストロー３を押し出す際にＲ面フィルム５１の非溶着部位を突き破る頂部３４と、該頂部をストローの軸心寄りにずらすための屈曲部３５と、ストロー３の内空部に通ずる傾斜した先端開口部３６を有している。
【００２７】
ストロー先端部の屈曲部３５から先の部分は、中空の円錐形状の一部（頂点を含む部分）を斜めカットしたような外観を有している。ストローの先端部３２をこのような外観に形成することにより、該先端部の頂部３４が側面視でより一層Ｖ字に近い楔形になるので、従来のストロー先端部と比較して、包装袋の突き破り抵抗を軽減できる。
【００２８】
また、ストロー先端部の屈曲部３５から先にはテーパー面３７があり、ストロー３の軸心方向に傾斜するように形成されている。すなわち、屈曲部３５の先にある頂部３４が外径位置より内側にくるように、屈曲部３５において折り込んである。その結果、頂部３４は、ストロー３の軸心寄りであって、図２（Ｂ）に示すように外径位置から距離ｄに位置している。ここでいう外径位置とは、ストローの先端部３２が屈曲しておらず直線状に延出していると仮定した場合、すなわち、図５に示す従来品のような斜めカット先端部であると仮定した場合の、先端部の外周面の位置である。
【００２９】
上記外径位置から頂部３４までの距離ｄは、特に限定されない。ただし、ストロー押出時において頂部３４が溶着部６１に最も近接する場合でも、図３に示すように頂部３４が溶着部６１に突き当たらず、Ｒ面フィルム５１の非溶着部位に突き当たる程に、頂部３４が外径位置から離れている必要がある。
【００３０】
上記構成のストロー包装体１は、図２に示すようにＦ面フィルム５２の側が、２箇所の接着部６，６によって飲料容器７の側面に貼着されている。
【００３１】
なお、包装袋５内のストロー３は丸棒状であるため回転し易く、しかも、包装袋内でのストローの回転方向の姿勢は固定されていないため、図５に示す従来品と同様に、頂部３４がＦ面フィルム５２寄りに位置している場合もあり、また、頂部３４が湾曲凹部５０の側面寄りに位置している場合もあり、或いは、湾曲凹部５０の底面寄りに位置している場合もある。
本実施形態では、頂部３４がＦ面フィルム５２寄りに位置している場合、すなわち、ストロー３を押し出すときに頂部３４が溶着部６１に最も接近する収納状態を、代表例として図示している。
【００３２】
（ストローの押し出し）
次に、容器７に貼着された包装袋５からストロー３を押し出すときの作用について説明する。
【００３３】
図２に示すストロー包装体１において、ストロー３は、先端開口部３６がＲ面フィルム５１側を向き、屈曲部３５がＦ面フィルム５２側を向いた状態で収容されている。すなわち、頂部３４が溶着部６１に最も接近し得る状態でストロー３が収容されており、従来品の場合であれば、ストロー先端が溶着部６１に突き当たる可能性が最も高い収納状態といえる。
【００３４】
図２に示す状態のストロー包装体１からストロー３を取り出す際には、包装袋５の上から指をストローの吸い口部３１に押し当て、そのまま溶着部６１の方向へ向かってストロー３を押し込む。このとき、包装袋５は容器７に貼着されたままなので、内部のストロー３だけが押圧されてスライドし、頂部３４が溶着部６１に接近する。なお、ストロー３を押し込む際、図３に示すように包装袋内でストローが僅かに傾斜する（吸い口部３１側がＲ面フィルム５１寄りに、先端部３２側がＦ面フィルム５２寄りに動く）場合もあり、その場合には、ストローの頂部３４が溶着部６１に対しより接近することになる。
【００３５】
このままストロー３を押し進めれば、図６に示すような従来品の場合であれば、ストロー先端の頂部が溶着部６１に食い込み、押し出しを困難にするだけでなく、ストロー先端部を変形させる虞がある。
しかしながら本発明では、図３に示すように屈曲部３５がＦ面フィルム５２に当たり、該屈曲部の先にある頂部３４が溶着部６１に突き当たるのを阻止している。すなわち、屈曲部３５は、頂部３４が溶着部６１に突き当たらないように、該頂部をＲ面フィルム５１の非溶着部位の方へ逃がす役割を担っている。
また、溶着部６１の近傍（包装袋５の接着部６から先の部位）が浮き上がって容器７から大きく離隔している場合でも、ストロー３を押し出すときに屈曲部３５がＦ面フィルム５２に接触することで、その先にある頂部３４を溶着部６１から遠ざける。したがってストロー押出時において、頂部３４の進行経路上又はその近傍に溶着部６１がある場合でも、当該頂部は溶着部６１を確実に避け、隣接するＲ面フィルム５１の非溶着部位に突き当たる。
【００３６】
よって、包装袋５の上からストローの吸い口部３１側を押し込むことで、尖った先端部の頂部３４は確実にＲ面フィルム５１の非溶着部位を突き破ることになる。
【００３７】
（ストローの先端形状の効果）
上述した本発明によれば、斜めカット端を有するストロー３の先端形状を、外径位置から内側に折り込んであるので、ストロー先端の頂部３４が短辺側溶着部６１に最も接近した状態で包装袋５から押し出す場合でも、該頂部が溶着部６１に突き当たるのを防止できる。
また、ストローを押し出す際に、図３に示すようにストロー３が包装袋５内で傾斜し、頂部３４が溶着部６１に対しより一層接近し得る場合であっても、屈曲部３５がＦ面フィルム５２に接して頂部３４を溶着部６１から遠ざけ、該頂部が溶着部６１に突き当たるのを阻止できる。同様に、溶着部６１の近傍が反り返って容器７から大きく離隔している状態で、ストロー３を押し出しても、頂部３４が溶着部６１に突き当たるのを阻止できる。
したがって、ストロー３を押し出す際に包装袋５内でストローがいかなる回転位置にあっても、また、包装袋５の接着部６から先の部位が容器側面から大きく離隔している場合であっても、ストロー先端の頂部３４は、硬化した溶着部６１を避け、Ｒ面フィルム５１の非溶着部位を突き破ることになる。
よって本発明によれば、溶着部６１〜６４におけるＲ面/Ｆ面フィルムのシール強度を弱めることなく、且つ、押し出し時にストロー３に変形を招くことなく、包装袋５から無理なく簡単にストローを取り出すことが可能になる。
【００３８】
（変形例）
上述した実施形態は本発明の実施態様の一例であって、本発明の技術的範囲には種々の変形例が含まれる。
【００３９】
例えば、本発明に含まれるストローは、伸縮可能な二段式ストローに限定されず、単管のストローで構成してもよい。
【００４０】
またストローの頂部３４を軸心方向にずらすための屈曲形状は、図示するように角形に屈曲するものでもよく、或いは、湾曲状に屈曲するものであってもよい。
【符号の説明】
【００４１】
１      ストロー包装体（本発明）
３      ストロー
５      包装袋
６      接着部
７      飲料容器
８      ストロー包装体
９      ストロー
１０    包装袋
３１    吸い口部
３２    先端部
３４    頂部
３５    屈曲部
３６    先端開口部
３７    テーパー面
５０    湾曲凹部
５１    Ｒ面フィルム（ラウンド面フィルム／第１のフィルム）
５２    Ｆ面フィルム（フラット面フィルム／第２のフィルム）
６１    短辺側の溶着部（サイドシール部）
６２    短辺側の溶着部（サイドシール部）
６３    長辺側の溶着部（サイドシール部）
６４    長辺側の溶着部（サイドシール部）
９１    吸い口部
９２    斜めカット先端部
９３    頂部
【図１】
2013144566.tif 000003
【図２】
2013144566.tif 000004
【図３】
2013144566.tif 000005
【図４】
2013144566.tif 000006
【図５】
2013144566.tif 000007
【図６】
2013144566.tif 000008